(57)【要約】【課題】動力源や密閉・加圧の不要な、サイホン式ポンプの自動停止。指一本でも簡単にできる手動停止。入り口の小さなタンクにも使用できる、構造の簡単な小型の停止装置。停止後は、人為的操作を行わない限り  勝手に漏れ出したりしない。【解決手段】液体量を測るためのフロートとエアーバルブを組あわせ  ポンプを自動停止させる。またエアーバルブを手動で開けることにより任意に停止させる。【選択図】図１
2007170367.tif 000002
【特許請求の範囲】
【請求項１】
フロートのスライドと連動する  垂直に取り付けたエアーバルブを持つ  サイホン式液体ポンプ自動停止装置。
【請求項２】
バルブに繋がる延長ロッドにより小指１本の弱い力でも  任意の液量でポンプを停止させる事のできる  サイホン式液体ポンプの停止装置。
【請求項３】
加圧・密閉などの特別な取り付けを要さず、簡単な固定具で  手離しで使用する事のできるポンプの停止装置。
【請求項４】
装置と液体排出部が棒状に一本化しているため  細い入り口のタンクにも使用できる停止装置。
【発明の詳細な説明】
【技術分野】
【０００１】本発明は、灯油ポンプやその他のサイホン式液体移動装置に関する。
【背景技術】
【０００２】液体をタンクから別のタンクに移し変える際に、構造が簡単なサイホン式ポンプがよく用いられているが、これらは液体を動力源なしで移動させるだけのものである。【０００３】ポンプ稼動後、移動する液体は両タンクの液面がほぼ同じ高さになるまで流出し続ける。そのまま放置した場合は液体が溢れ出し、周囲を汚損しまた内容物によっては非常に危険である。【０００４】これらのサイホン式ポンプは、移動する液体が  適量になるまで監視し続ける必要があり、また手動で停止させなければならないが、手動停止にはやや手間がかかり  適量以上に流出してしまったり  時には溢れさせてしまう事がある。【０００５】なお、本発明に関連する公知技術として次の特許文献１、２、３及び実用新案文献１を挙げることができる。
【特許文献１】特開  ２００１−２７１７４０
【特許文献２】特開  ２００３−０７４５００
【特許文献３】特開  平７−３１０６６７
【実用新案文献１】
平５−６６３００
【発明の開示】
【発明が解決しようとする課題】
【０００６】上述のように従来のサイホン式ポンプは停止が手動で  常に監視し続けねばならず、また停止にやや手間がかかるため結局溢れさてしまう危険がある。
このため液体が  可燃性や刺激性のある物の場合  重大な事故を引き起こす可能性がある。【０００７】本発明はこのような点に着目したものであり、目的は液体を移動する際に  密閉加圧や動力源も必要とせずに  液体の移動を一定量で自動停止させるためのものである。【０００８】また任意の量で  手動停止させる場合は、たとえ小指一本でも即時に停止させることができる。【０００９】着脱が簡単で  装置が細く  入り口が小さいタンクにも使用できる。
【課題を解決するための手段】
【００１０】  上述の目的を達成する本発明の自動停止装置は、液体量を検知するフロートと  それに連動するエアーバルブを持ち、液体にフロートが浸かる事により、発生した浮力が  エアーバルブを押し上げて  バルブを開く事により  サイホン状態を破りポンプを自動停止させる事を特徴とする。【００１１】エアーバルブに繋がるロッドを延長する事により  任意の液量でポンプを簡単に手動停止できる特徴がある。
【発明の効果】
【００１２】以上のように本発明により  動力源を使わないサイホン式ポンプを加圧  密閉などの特別な操作を行うことなく適量で自動停止させることができ、灯油ポンプなどに用いれば不注意やタイミングのずれによる溢出を防止する事ができる。【００１３】金属製などの液体量が外から見えないようなタンクにも自動停止により溢出させずに補給できる。【００１４】手動停止する場合は、たとえ小指一本でも簡単に停止させることができ、ポンプ本体に停止用の空気キャップを取り付ける必要がない。【００１５】フロートは装置内に格納され、上下方向に動くだけで側方には移動せず、フロートがタンク壁と接触して停止不能になったりしない。また破損もしにくい。【００１６】フロートなどの可動部は、回転部や付着部がなくエアーバルブの上に自重で乗っているだけの構造のため  ひっかかりなどのトラブルを起こしにくい。【００１７】  フロートは垂直方向に滑って移動するため側方に場所をとらず  装置を液体の吐出部と細く一体化でき  取り付け時にフロートがじゃまにならず  入り口の小さいタンクにも使用できる。【００１８】  ポンプ稼動時のエアーバルブは、重力により垂直方向に閉鎖されるため  空気もれによる補給時の動作不良が少ない。【００１９】一度停止した場合、手動で回復操作を行なわない限り  勝手に液体が漏れ出る事がない。
【発明を実施するための最良の形態】
【００２０】以下、本発明実施の形態を図面に基づき  詳細に説明する。【００２１】図１は本発明を実施するための形態を示す、外観および主要部の拡大断面図である。【００２２】図１に示すように、本自動停止装置は、従来より使われているサイホン式ポンプの吐出口と一体に設置し  本装置からポンプ上部の圧縮減圧部にはエアーパイプ１がとりつけられている。【００２３】エアーパイプ１の下端は図のように上向き凹型のカップ状になり  上方からロッド４と一体の凸状の蓋をする事によりエアーバルブ２を形成している。液体量が少ない時にはフロート３及びロッド４とそれに付随する装置の自重によって凸部が垂直下方にカップ状の部分に押し付けられ  エアーバルブ２は閉鎖されている。この状態でポンプを稼動させるとサイホン状態となり液体が流出する。【００２４】もし液体がポンプからエアーパイプ１に流入してもエアーバルブ２の凹部から溢れ、ロッド４を通しているパイプ５を下って被補給側のタンク内に入る。パイプ５は吐出される液体の流れが、フロート３やロッド４の動きを妨げたり上方のエアーバルブ２に吹さ上げたりしないようにする役割も持っている。【００２５】液体が吐出パイプ６を通っていくつかの吐出口７から被補給側のタンクに流出すると液面が上昇し、  フロート３が液体に浸かる事により浮力で上方に押し上げられ  繋がったロッド４を介してエアーバルブ２が開放されると、隔壁９に開けられたロッド穴を介して空気がエアーパイプ１を通ってポンプ上部の圧縮減圧部に流入するため  サイホン状態が破られポンプは自動停止する。【００２６】任意の量で手動停止させるには、ロッド４の先端につけられた把持部８を軽く上方に引き上げる事で  エアーバルブ２を手動で開放し、サイホン状態を破りポンプを停止させる。【００２７】フロート３及びロッド４とそれに付随する部分は  装置の隔壁９により動きが制限され一定の高さより上方には動かず、エアーバルブ２は、凸部と凹部がずれて  はずれたりしないようになっている。【００２８】エアーパイプ１は  吐出パイプ６に貼付あるいは内部を通すことも可能で外観・機能を向上させる事もできる。【００２９】１０は、ポンプと停止装置を所定の位置に固定する弾性部材でできた爪状の止め具である。タンクの突起部にひっかけるなどして使用し  ポンプ本体や吐出部を人の手で固定し続ける手間を省き  自動停止する液面の位置を確実にする役割も持つ。タンクの出入口の大きさにあわせて  ポンプや自動停止装置に付加するものである。
【図面の簡単な説明】
【００３０】
【図１】本発明の実施の形態に係る  ポンプ部外観と主要部分の拡大断面図である。
【符号の説明】
【００３１】１  エアーパイプ
２  エアーバルブ
３  フロート
４  ロッド
【図１】
2007170367.tif 000003